(57)【要約】【課題】高齢者に対しても聞き取りやすく、かつ、高い音圧を確保した警報音発生装置を提供する。【解決手段】高齢者に対しても聞き取りやすい２ｋＨｚ以下の低周波数と、音圧を確保できる２ｋＨｚより高い高周波数とを含んだ警報音を発生する。また、高周波数としては、２ｋＨｚ以下の低周波数帯域ＡLにおける最大音圧ＶLMAXより高い音圧が得られる周波数であり、かつ、２ｋＨｚより高い高周波数帯域ＡHにおいて最大音圧８５ｄＢ／ｍが得られる周波数付近に設定する。【選択図】図２
2005339435.tif 000002
【特許請求の範囲】
【請求項１】
警報音を発生させる警報発生装置であって、
当該警報発生装置が発生する全ての警報音は、高齢者に対して聞き取りやすい低周波数と音圧を確保できる高周波数とを含んでいることを特徴とする警報発生装置。
【請求項２】
請求項１記載の警報発生装置であって、
当該警報発生装置が発生する全ての警報音は、２ｋＨｚ以下の低周波数と２ｋＨｚより高い高周波数を含んでいることを特徴とする警報発生装置。
【請求項３】
請求項２記載の警報発生装置であって、
前記高周波数は、２ｋＨｚ以下の低周波数帯域における最大音圧より高い音圧が得られる周波数であることを特徴とする警報発生装置。
【請求項４】
請求項３記載の警報発生装置であって、
前記高周波数は、２ｋＨｚより高い高周波数帯域において最大音圧が得られる周波数付近であることを特徴とする警報発生装置。
【請求項５】
請求項３記載の警報発生装置であって、
前記高周波数は、２ｋＨｚより高い高周波数帯域において７０ｄＢ／ｍ以上の音圧が得られる周波数であることを特徴とする警報発生装置。
【請求項６】
請求項１〜５何れか１項記載の警報発生装置であって、
前記低周波数及び前記高周波数を含んだ所定周波数帯域の全領域に亘って周波数を変化させて、前記警報音を発生することを特徴とする警報発生装置。
【発明の詳細な説明】
【技術分野】
【０００１】
本発明は、警報音を発生させる警報発生装置に関するものである。
【背景技術】
【０００２】
一般に、上述した警報発生装置としては、高い音圧を得るために共振周波数付近の周波数の警報音を発生させている。例えば、図２に示すような周波数特性を有する警報発生装置では、最も高い音圧が得られる２．６ｋＨｚの警報音を発生させている。
【０００３】
また、警報ブザー音を低音から高音に連続的に周波数変動させるものにおいて、周波数の変動範囲を、共振周波数を中心とした範囲に設定するものも提案されている（特許文献１）。
【特許文献１】特開平９−１４７２６９号公報
【特許文献２】特開平９−２７００８８号公報
【発明の開示】
【発明が解決しようとする課題】
【０００４】
ところで、高齢になると高い周波数（一般的には２ｋＨｚより高い周波数）の音が聞き取りにくくなる。従って、上述したように高い音圧を得るために２．６ｋＨｚ付近といった高い周波数の警報音を発生した場合、高齢者に対して警報音が聞き取りにくい状況となっている。これに対して、高齢者に合わせて低い周波数に設定すると、今度は高い音圧を確保するのが難しくなる。つまり、図２に示すような周波数特性を持つ警報音発生装置では、高齢者が聞き取りやすい、高い音圧を確保できるという２つの条件を同時に満たすことができなかった。
【０００５】
そこで、低周波数であっても高い音圧が得られる周波数特性を持つ警報発生装置を用いることも考えられるが、このような警報発生装置はコスト的に問題がある。
【０００６】
そこで、本発明は、上記のような問題点に着目し、高齢者に対しても聞き取りやすく、かつ、高い音圧を確保した警報音発生装置を提供することを課題とする。
【課題を解決するための手段】
【０００７】
請求項１記載の発明は、警報音を発生させる警報発生装置であって、当該警報音発生装置が発生する全ての警報音は、高齢者に対して聞き取りやすい低周波数と音圧を確保できる高周波数とを含んでいることを特徴とする警報発生装置に存する。
【０００８】
請求項１記載の発明によれば、全ての警報音に、高齢者に対して聞き取りやすい低周波数と音圧を確保できる高周波数とを含ませる。従って、高齢者が聞き取りやすい低周波数帯域では高い音圧が確保できない周波数特性を持つ場合であっても、低周波数により高齢者が聞き取りやすくなり、高周波数によって高い音圧を確保することができる。
【０００９】
請求項２記載の発明は、請求項１記載の警報発生装置であって、当該警報発生装置が発生する全ての警報音は、２ｋＨｚ以下の低周波数と２ｋＨｚより高い高周波数を含んでいることを特徴とする警報発生装置に存する。
【００１０】
請求項２記載の発明によれば、高い音圧が確保できる周波数が高齢者に聞き易い２ｋＨｚ以下より高い周波数特性を持つ場合であっても、全ての警報音に、２ｋＨｚ以下の低周波数と２ｋＨｚより高い高周波数とを含ませることにより、高齢者が聞き取りやすく、かつ、高い音圧を確保することができる。
【００１１】
請求項３記載の発明は、請求項２記載の警報発生装置であって、前記高周波数は、２ｋＨｚ以下の低周波数帯域における最大音圧より高い音圧が得られる周波数であることを特徴とする警報発生装置に存する。
【００１２】
請求項３記載の発明によれば、高周波数は、２ｋＨｚ以下の低周波数帯域における最大音圧より高い音圧が得られる周波数である。従って、低周波数により高齢者が聞き取りやすくなり、高周波数によって２ｋＨｚ以下の低周波数帯における最大音圧より高い音圧を確保することができる。
【００１３】
請求項４記載の発明は、請求項３記載の警報発生装置であって、前記高周波数は、２ｋＨｚより高い高周波数帯域において最大音圧が得られる周波数付近であることを特徴とする警報発生装置に存する。
【００１４】
請求項４記載の発明によれば、高周波数は、２ｋＨｚより高い高周波数帯域において最大音圧が得られる周波数付近の周波数である。従って、低周波数により高齢者が聞き取りやすくなり、高周波数によって２ｋＨｚより高い高周波数帯における最大音圧を確保することができる。
【００１５】
請求項５記載の発明は、請求項３記載の警報発生装置であって、前記高周波数は、２ｋＨｚより高い高周波数帯域において７０ｄＢ／ｍ以上の音圧が得られる周波数であることを特徴とする警報発生装置に存する。
【００１６】
請求項５記載の発明によれば、高周波数は、高周波数帯において７０ｄＢ／ｍ以上の音圧が得られる周波数である。従って、低周波数により高齢者が聞き取りやすくなり、高周波数によって警報器のＪＩＳ規格を満たす７０ｄＢ／ｍ以上の音圧を確保することができる。
【００１７】
請求項６記載の発明は、請求項１〜５何れか１項記載の警報発生装置であって、前記低周波数及び前記高周波数を含んだ所定周波数帯域の全領域に亘って周波数を変化させて、前記警報音を発生することを特徴とする警報発生装置に存する。
【００１８】
請求項６記載の発明によれば、警報音が、低周波数及び高周波数を含んだ所定周波数帯の全領域に亘って周波数を変化させて発生されている。従って、低周波数により高齢者が聞き取りやすくなり、高周波数によって高い音圧を確保することができる。
【発明の効果】
【００１９】
以上説明したように請求項１記載の発明によれば、高齢者が聞き取りやすい低周波数帯域では高い音圧が確保できない周波数特性を持つ場合であっても、低周波数により高齢者が聞き取りやすくなり、高周波数によって高い音圧を確保することができるので、全ての警報音について、高齢者が聞き取りやすく、かつ、高い音圧を確保した警報発生装置を得ることができる。
【００２０】
請求項２記載の発明によれば、高い音圧が確保できる周波数が高齢者に聞き易い２ｋＨｚ以下より高い周波数特性を持つ場合であっても、全ての警報音に、２ｋＨｚ以下の低周波数と２ｋＨｚより高い高周波数とを含ませることにより、高齢者が聞き取りやすく、かつ、高い音圧を確保することができる警報発生装置を得ることができる。
【００２１】
請求項３記載の発明によれば、低周波数により高齢者が聞き取りやすくなり、高周波数によって２ｋＨｚ以下の低周波数帯における最大音圧より高い音圧を確保した警報発生装置を得ることができる。
【００２２】
請求項４記載の発明によれば、低周波数により高齢者が聞き取りやすくなり、高周波数によって２ｋＨｚより高い高周波数帯における最大音圧を確保した警報発生装置を得ることができる。
【００２３】
請求項５記載の発明によれば、低周波数により高齢者が聞き取りやすくなり、高周波数によって警報器のＪＩＳ規格を満たす７０ｄＢ／ｍ以上の音圧を確保した警報発生装置を得ることができる。
【００２４】
請求項６記載の発明によれば、低周波数により高齢者が聞き取りやすくなり、高周波数によって高い音圧を確保した警報発生装置を得ることができる。
【発明を実施するための最良の形態】
【００２５】
以下、本発明の実施の形態を図面に基づいて説明する。図１は、本発明による警報発生装置を組み込んだガス漏れ警報器を示す図である。同図に示すように、ガス漏れ警報器は、メタンなどのガスの濃度に応じた検出信号を出力するガスセンサ１１と、ＣＯ（一酸化炭素）の濃度に応じた検出信号を出力するＣＯセンサ１２と、周囲温度に応じた検出信号を出力する温度センサ１３とを備えている。
【００２６】
また、上述したガスセンサ１１、ＣＯセンサ１２、温度センサ１３から出力される検出信号は、マイクロコンピュータ（以下、μＣＯＭ）２０に対して供給されている。μＣＯＭ２０は、プログラムに従って各種の処理を行う中央処理ユニット（ＣＰＵ）２１、ＣＰＵ２１が行う処理のプログラムなどを格納した読み出し専用のメモリであるＲＯＭ２２、ＣＰＵ２１での各種の処理過程で利用するワークエリア、各種データを格納するデータ格納エリアなどを有する読み出し書き込み自在のメモリであるＲＡＭ２３などを内蔵している。また、上述したＣＰＵ２１には、ガス漏れ、不完全燃焼、火災などが発生したことを知らせる警報音を発生するスピーカ３０が接続されている。
【００２７】
上述した構成のガス漏れ警報器の動作について以下説明する。まず、ガス漏れ警報器に対する電源投入に応じて、ＣＰＵ２１はガスセンサ１１、ＣＯセンサ１２、温度センサ１３から出力される検出信号の監視を開始する。ＣＰＵ２１は、温度センサ１３から出力される検出信号が警報レベルを超えると、火災が発生している可能性が高いと判断して、火災警報を行う。また、ＣＰＵ２１は、ガスセンサ１１から出力される検出信号が警報レベルを超えると、ガス漏れが発生している可能性が高いと判断して、ガス漏れ警報を発生する。
【００２８】
また、ＣＰＵ２１は、ＣＯセンサ１２から出力される検出信号が警報レベルを超えると、不完全燃焼が発生していると判断して、ＣＯ警報を行い、ＣＯセンサ１２だけでなく温度センサ１３から出力される検出信号も警報レベルを超えた場合、火災が発生していると判断して、火災＋ＣＯ警報を発生する。
【００２９】
上述した各種警報はスピーカ３０を用いて行われる。以下、スピーカ３０から発生する警報音の詳細について説明する。なお、本実施形態では、スピーカ３０とガス漏れ警報器のケースとを合わせた標準周波数特性が、図２に示すようなものの場合について述べる。一般に、高齢者が聞き取りやすい周波数は２ｋＨｚ以下と言われている。また、図２に示すように、高齢者が聞き取りにくい周波数帯である２ｋＨｚより高い高周波数帯域ＡHには、２ｋＨｚ以下の低周波数帯域ＡLにおける最大音圧ＶLMAXより高い音圧が得られる周波数がある。
【００３０】
そこで、本実施形態のガス漏れ警報器は、例えば、２．６ｋＨｚの高周波数と９００Ｈｚの低周波数とを組み合わせた警報音を発生させる。上述した２．６ｋＨｚの高周波数は、図２に示すように、低周波数帯ＡLにおける最大音圧ＶLMAXよりも高い音圧が得られる周波数であり、かつ、高周波数帯ＡHにおける最大音圧８５ｄＢ／ｍ（＞７０ｄＢ／ｍ）が得られる周波数でもある。また、９００Ｈｚの低周波数は、高齢者が聞き取りやすい周波数となっている。
【００３１】
具体的な警報音について、図３に示すスピーカ３０を駆動するための駆動信号のタイムチャートを参照して説明する。図３は、スピーカ３０に対して出力される駆動信号のタイムチャートである。火災警報を発生するとき、ＣＰＵ２１は、同図（ａ）に示すような駆動信号をスピーカ３０に対して供給する。この駆動信号に応じてスピーカ３０からは「ピ（２．６ｋＨｚ）ポー（９００Ｈｚ）ピ（２．６ｋＨｚ）ポー（９００Ｈｚ）」との警報音を鳴らした後、「火災警報器が作動しました。確認して下さい。」との音声が流れる。
【００３２】
また、ガス漏れが発生している旨を伝えるガス漏れ警報を発生するとき、ＣＰＵ２１は、同図（ｂ）に示すような駆動信号をスピーカ３０に対して供給する。この駆動信号に応じてスピーカ３０からは「ピッ（２．６ｋＨｚ）ピッ（２．６ｋＨｚ）ポッ（９００Ｈｚ）ポッ（９００Ｈｚ）」との警報音が発生した後、「ガスが漏れていませんか。」との音声が流れる。
【００３３】
また、不完全燃焼が発生している旨を伝えるＣＯ警報を発生するとき、ＣＰＵ２１は、同図（ｃ）に示すような駆動信号をスピーカ３０に対して供給する。この駆動信号に応じてスピーカ３０からは「ピッ（２．６ｋＨｚ）ポッ（９００Ｈｚ）ピッ（２．６ｋＨｚ）ポッ（９００Ｈｚ）」との警報音が発生した後、「空気が汚れて危険です。窓を開けて確認して下さい。」との音声が流れる。
【００３４】
さらに、火災と同時に不完全燃焼も発生している旨を伝える火災＋ＣＯ警報を発生するとき、ＣＰＵ２１は、同図（ｄ）に示すような駆動信号をスピーカ３０に対して供給する。この駆動信号に応じてスピーカ３０からは「ピ（２．６ｋＨｚ）ポー（９００Ｈｚ）ピ（２．６ｋＨｚ）ポー（９００Ｈｚ）」との警報音が発生した後、「火災です。火災です。」との音声が流れる。
【００３５】
上述したガス漏れ警報器によれば、高齢者が聞き取りやすい９００Ｈｚの低周波数と、８５ｄＢ／ｍの音圧が確保することができる２．６ｋＨｚの高周波数とを組み合わせて、全ての警報音を発生させている。従って、９００Ｈｚの低周波数により高齢者が聞き取り易くなり、２．６ｋＨｚの高周波数により低周波数帯域ＡLにおける最大音圧ＶLMAXより高く、しかも、高周波数帯域ＡHにおける最大音圧８５ｄＢ／ｍ（＞７０ｄＢ／ｍ）という高い音圧を確保することができる。
【００３６】
また、最大音圧８５ｄＢ／ｍは、「警報機能を有するものにあっては、ＪＩＳＺ８７３１（環境騒音の表示・測定方法に定める方法）によって、警報を発する状態にした警報器から１ｍ離れた正面の位置において、ＪＩＳＣ１５０２（普通騒音計）に定める規格に適合する普通騒音計により測定し、７０ｄＢ／ｍ以上であることを確認する」という規格を満たすことができる。
【００３７】
なお、上述した実施形態では、高周波数として、高周波帯域ＡHにおける最大音圧８５ｄＢ／ｍが得られる周波数付近に設定していた。しかしながら、低周波数帯域ＡLにおける最大音圧ＶLMAXより高い音圧が得られる周波数であればこの場合に限られない。
【００３８】
また、上述した実施形態では、例えば２．６ｋＨｚの高周波数と例えば９００Ｈｚの低周波数とを組み合わせて警報音を発生していた。しかしながら、警報音としては、少なくとも上述したような高周波数と低周波数とが含まれていればよく、例えば、高周波数及び低周波数を含んだ所定周波数帯の全領域に亘って周波数を変化させて警報音を発生させることも考えられる。具体的には６００Ｈｚ〜２．６ｋＨｚを所定周波数帯として、図４に示すように一定時間（例えば１０ｍｓ）毎に、周波数を段階的に高くした駆動信号をスピーカ３０に出力する。
【００３９】
この駆動信号に応じてスピーカからは「ピロピロピロピロ…」との警報音が発生した後、「火災警報器が作動しました。確認して下さい。」又は「火災です。火災です。」との音声が流れる。
【図面の簡単な説明】
【００４０】
【図１】本発明による警報発生装置を組み込んだガス漏れ警報器を示す図である。
【図２】スピーカ３０とガス漏れ警報器のケースとを合わせた標準周波数特性を示すグラフである。
【図３】スピーカ３０に対して出力される駆動信号のタイムチャートである。
【図４】スピーカ３０に対して出力される駆動信号のタイムチャートである。
【符号の説明】
【００４１】
ＡL     低周波数帯域
ＡH     高周波数帯域
ＶLMAX  低周波帯域における最大音圧
【図１】
2005339435.tif 000003
【図２】
2005339435.tif 000004
【図３】
2005339435.tif 000005
【図４】
2005339435.tif 000006